(57)【要約】【課題】モバイルスタンドからモバイル端末が滑落し難く、かつヘッドボード内の通気性も高めることができ、さらにはヘッドボードの側面に形成した収納棚の収納量を増やすこともできる宮付きすのこベッドを提供する。【解決手段】モバイルスタンド１４は、スマートフォン２３のずれ落ちを防止する突条ストッパ部２４と、突条ストッパ部２４より高さが高く、かつ傾斜状態のスマートフォン２３の上部を下方から支持する端末支持板部２６とを、突条ストッパ部２４の方が端末支持板部２６より手前となるように、互いに平行に離間配置したものである。また、収納棚１５は、ヘッドボード１６の両側面を貫通して形成されている。【選択図】図１
0003217939.tif 000002
【実用新案登録請求の範囲】
【請求項１】
矩形状の支持枠の四隅に、複数の脚部が配された支持台と、
該支持台のヘッド側に固定されて、上部には板状のモバイル端末を立て掛けるモバイルスタンドが設けられるとともに、側面には収納棚が陥没形成された宮付き型のヘッドボードと、
前記支持台に載置されるすのことを備えた宮付きすのこベッドにおいて、
前記モバイルスタンドは、前記モバイル端末のずれ落ちを防止する突条ストッパ部と、該突条ストッパ部より高さが高く、かつ傾斜状態の前記モバイル端末の上部を下方から支持する端末支持板部とを、前記突条ストッパ部の方が前記端末支持板部より手前となるように、互いに平行に離間配置したもので、
前記収納棚は、前記ヘッドボードの両側面を貫通して形成されたものであることを特徴とする宮付きすのこベッド。
【請求項２】
各前記脚部は、前記支持枠に着脱可能に連結され、かつ長さ方向へ連結可能な複数の分割脚部からなることを特徴とする請求項１に記載の宮付きすのこベッド。
【請求項３】
前記各脚部を取り外した前記支持枠は、床面に該支持枠の下面を接した状態で床に載置され、
前記ヘッドボードは、
下端部が前記支持枠のヘッド側の枠材に連結されて、上端部が前記突条ストッパ部を構成する矩形状の前側ボードと、
該前側ボードと平行に離間して、上端部が前記端末支持板部を構成する矩形状の奥側ボードと、
前記前側ボードの上部と前記奥側ボードとの上部とを連結する上板と、
前記前側ボードの下端と、前記奥側ボードとの下端とを連結する下板とを有した側面視して矩形状の板枠で、
前記下板の下面は、前記支持枠の下面より上方に配置されたことを特徴とする請求項２に記載の宮付きすのこベッド。
【考案の詳細な説明】
【技術分野】
【０００１】
本考案は、宮付き型（キャビネット型）のヘッドボードを有した宮付きすのこベッドに関する。
【背景技術】
【０００２】
従来、宮付き型のヘッドボードの上部に、本が載置される傾斜板にタブレット（板状のモバイル端末）を立て掛けるモバイルスタンドが設けられ、かつヘッドボードの左右の側面に、一対の収納棚が陥没形成された宮付きすのこベッドが知られている（例えば、特許文献１等）。左右一対の収納棚（サイドシェルフ、ブックシェルフ）は、各棚奥面を構成する２枚の仕切り板（奥板）により、それぞれ区画されている。
【先行技術文献】
【特許文献】
【０００３】
【特許文献１】実用新案登録第３１９７３９３号公報
【考案の開示】
【考案が解決しようとする課題】
【０００４】
しかしながら、特許文献１の宮付きすのこベッドにあっては、このようにモバイルスタンドが本載置用の傾斜板にタブレットを立て掛ける構成であったため、スタンド使用時に、タブレットが傾斜板の表面をガイドにして滑り落ち易かった。
また、このようにヘッドボードの両側面に配設された左右の収納棚は、ボード内の長さ方向の中間部付近で、左右一対の仕切り板により、それぞれ区画されていた。そのため、ヘッドボード内の通気性が低下し、例えば夏季において、使用者の頭上で立ち上がったヘッドボードに熱がこもり、寝苦しさがあった。さらには、各収納棚に収納できる本などの量が少なかった。
【０００５】
そこで、考案者は、鋭意研究の結果、モバイルスタンドとして、モバイル端末のずれ落ちを防止する突条ストッパ部と、これより丈が高くて、傾斜状態のモバイル端末の上部を支持する端末支持板部とが、ベッドの長さ方向へ互いに平行に離間配置されたものを採用すれば、従来品の課題であった、傾斜板の表面をガイドにしたモバイル端末の滑落を防止できることを知見した。
さらに、考案者は、鋭意研究の結果、ヘッドボードの両側面を貫通して左右の収納棚を設ければ、ヘッドボード内の通気性が高まり、ボード内での熱のこもりを解消できるとともに、この収納棚への本などの収納量も増えることを知見し、この考案を完成させた。
【０００６】
本考案は、このような問題点に鑑みなされたもので、モバイルスタンドからモバイル端末が滑落し難く、かつヘッドボード内の通気性も高めることができ、さらにはヘッドボードの側面に形成した収納棚の収納量を増やすこともできる宮付きすのこベッドを提供することを目的としている。
【課題を解決するための手段】
【０００７】
請求項１に記載の考案は、矩形状の支持枠の四隅に、複数の脚部が配された支持台と、該支持台のヘッド側に固定されて、上部には板状のモバイル端末を立て掛けるモバイルスタンドが設けられるとともに、側面には収納棚が陥没形成された宮付き型のヘッドボードと、前記支持台に載置されるすのことを備えた宮付きすのこベッドにおいて、前記モバイルスタンドは、前記モバイル端末のずれ落ちを防止する突条ストッパ部と、該突条ストッパ部より高さが高く、かつ傾斜状態の前記モバイル端末の上部を下方から支持する端末支持板部とを、前記突条ストッパ部の方が前記端末支持板部より手前となるように、互いに平行に離間配置したもので、前記収納棚は、前記ヘッドボードの両側面を貫通して形成されたものであることを特徴とする宮付きすのこベッドである。
【０００８】
ベッドのサイズは任意である。例えば、シングルサイズ、セミダブルサイズ、ダブルサイズ、キングサイズなどが挙げられる。
ベッドを主な構成体である、支持枠、脚部、ヘッドボードおよびすのこ（簀の子）の各素材は任意である。例えば、各種の木、各種の金属、各種のプラスチックなどを採用することができる。
ベッドは、組立分解が自在のものでも、そうでないものでもよい。
【０００９】
支持枠は、フット側（手前側、前側）の枠材と、ヘッド側（奥側）の枠材と、左側の枠材と、右側の枠材とを矩形枠状に連結したものである。
支持台（支持枠）は、支持枠の長さ方向の中間位置を中心にして折り畳み自在でもよい。
【００１０】
各脚部の形状は任意である。例えば、円柱状、角柱状などでもよい。
各脚部の長さは限定されない。例えば、５ｃｍ〜５０ｃｍ、好ましくは１０ｃｍ〜３０ｃｍである。
各脚部は、支持枠に対して分離不能に固定されても、着脱自在に連結されてもよい。
脚部の使用本は、少なくとも支持枠の四隅に配置される４本以上であれば任意である。例えば、６本でも８本でもよい。
【００１１】
“すのこ（床板、敷板）”としては、例えば、多数枚の板材の幅方向の両端部を、一対のベルトにより連結したものを採用することができる。その他、各ベルトに代えて、一対の細長い連結板材を使用したものでもよい。
板状のモバイル端末の種類は限定されない。例えば、スマートフォン、タブレット、ノートパソコンなどを採用することができる。
【００１２】
突条ストッパ部の高さは任意であるものの、モバイル端末の画面をできるだけ遮らないように、０．５ｃｍ〜３ｃｍが好ましい。
端末支持板部の高さは、突条ストッパ部より高ければ任意であるが、８ｃｍ〜１２ｃｍが好ましく、さらに１０ｃｍ前後が最適である。
【００１３】
ここでいう収納棚とは、ヘッドボードの両側面を貫通して形成されたサイドシェルフ（ブックシェルフ）である。
収納棚の側面視した形状は任意である。例えば、矩形状などでもよい。
また、収納棚のサイズは任意である。例えば、Ａ４サイズの本が収納できるように、高さ２６ｃｍ以上としてもよい。
さらに、収納棚の形成数は、１つでも複数でもよい。複数の場合、各収納棚を、ベッドの長さ方向に並べても、高さ方向に並べてもよい。
【００１４】
請求項２に記載の考案は、各前記脚部は、前記支持枠に着脱可能に連結され、かつ長さ方向へ連結可能な複数の分割脚部からなることを特徴とする請求項１に記載の宮付きすのこベッドである。
【００１５】
脚部の長さ方向への分割数は任意である。２つでも、３つ以上でもよい。
各分割脚部の長さは任意である。例えば、５ｃｍ〜２０ｃｍ、好ましくは１０ｃｍ〜１５ｃｍである。
隣接した分割脚部同士の連結構造は任意である。例えば、螺合構造、嵌合構造などを採用することができる。
【００１６】
請求項３に記載の考案は、前記各脚部を取り外した前記支持枠は、床面に該支持枠の下面を接した状態で床に載置され、前記ヘッドボードは、下端部が前記支持枠のヘッド側の枠材に連結されて、上端部が前記突条ストッパ部を構成する矩形状の前側ボードと、該前側ボードと平行に離間して、上端部が前記端末支持板部を構成する矩形状の奥側ボードと、前記前側ボードの上部と前記奥側ボードとの上部とを連結する上板と、前記前側ボードの下端と、前記奥側ボードとの下端とを連結する下板とを有した側面視して矩形状の板枠で、前記下板の下面は、前記支持枠の下面より上方に配置されたことを特徴とする請求項２に記載の宮付きすのこベッドである。
【００１７】
ここでいう「（ヘッドボードの）下板の下面が、支持枠の下面より上方に配置されている」とは、全ての脚部を取り外した支持枠（支持台）を、支持枠の下面を床面に当接状態で床に載置したとき、ヘッドボードの下板が、床面より上方に配置されていることを意味する。
前側ボード、奥側ボード、下板および上板の厚さは限定されない。例えば、例えば５ｍｍ〜３０ｍｍ、好ましくは１０ｍｍ前後である。
【考案の効果】
【００１８】
本考案の宮付きすのこベッドによれば、ヘッドボードのモバイルスタンドとして、突条ストッパ部と、これより丈が高い端末支持板部とを、ベッドの長さ方向へ互いに平行に離間配置したものを採用したため、従来品の課題であった、傾斜板の表面をガイドにしたモバイル端末の滑落を防止することができる。
また、ヘッドボードの両側面を貫通して左右の収納棚を設けているため、ヘッドボード内の通気性が高まり、ボード内での熱のこもりを解消できる。しかも、この収納棚への本などの被収納物の収納量を増やすことができる。
【００１９】
特に、請求項２に記載の考案によれば、脚部を支持枠に着脱可能に連結したため、全ての脚部を取り外して、支持枠（支持台）を直接床に載置することができる。
また、各脚部を、複数の分割脚部によって連結分割（組立分解）可能にそれぞれ設けている。これにより、使用者の好みに応じて、ベットの高さを適宜変更することができる。
【００２０】
また、請求項３に記載の考案によれば、脚部が存在しない支持枠（支持台）を、支持枠の下面が床面に当接状態で床に直接載置した場合、ヘッドボードの下板は、床面より上方に配置される。そのため、例えば、使用者が上半身のみを起こしてヘッドボードに凭れかかったとき、側面視して矩形状の板枠からなるヘッドボードには、支持枠のヘッド側の枠材と連結した前側ボードの下端部を支点として、外方（奥方向）への大きな曲げ応力が作用する。
【００２１】
仮に、ヘッドボードの下板の下面が、支持枠の下面と同一高さであれば、このヘッドボードの曲げによって奥側ボードと下板との接合部分（角部分）が床面に強く押し付けられ、この角部分に応力が集中する。そのため、例えば、このベッドが、経年劣化等によるガタツキの大きいものの場合には、この応力集中を原因として、矩形状の板枠であるヘッドボードが変形したり、最悪の場合、崩壊するおそれがあった。
【００２２】
しかしながら、請求項３の考案では、ヘッドボードの下板が床面より上方に配置されているため、このようにヘッドボードが、前側ボードの下端部を支点として外方へ大きく湾曲したとしても、奥側ボードと下板との接合部分が床面に接することはない。その結果、このベッドが、経年劣化等によるガタツキの大きいものであっても、上記角部分への応力集中を原因としたヘッドボードの変形や、ボードの崩壊は発生しない。
【図面の簡単な説明】
【００２３】
【図１】本考案の実施例１に係る宮付きすのこベッドの使用状態を示す斜視図である。
【図２】本考案の実施例１に係る宮付きすのこベッドのヘッドボードの使用状態の要部拡大斜視図である。
【図３】（ａ）は、本考案の実施例１に係る宮付きすのこベッドにおいて、２個の分割脚部を連結した脚部を有するハイスタイルの状態を示す斜視図である。（ｂ）は、本考案の実施例１に係る宮付きすのこベッドにおいて、分割脚部が１個のみの脚部を有するミドルスタイルの状態を示す斜視図である。（ｃ）は、本考案の実施例１に係る宮付きすのこベッドにおいて、脚部を省いたロースタイルの状態を示す斜視図である。
【図４】（ａ）は、本考案の実施例１に係る宮付きすのこベッドにおいて、ヘッドボードに外方向への負荷が作用している状態を示す要部拡大側面図である。（ｂ）は、従来の宮付きすのこベッドにおいて、ヘッドボードに外方向への負荷が作用している状態を示す要部拡大側面図である。
【考案を実施するための形態】
【００２４】
以下、本考案の実施例を具体的に説明する。ここでは、シングルサイズの宮付きすのこベッドを例とする。
【実施例】
【００２５】
図１において、１０は本考案の実施例１に係る宮付きすのこベッドで、この宮付きすのこベッド（以下、単にベッドという場合がある）１０は、矩形状の支持枠１１の四隅に、複数の脚部１２が配された支持台１３と、支持台１３のヘッド側に固定されて、上部には板状のスマートフォン（モバイル端末）を立て掛けるモバイルスタンド１４が設けられるとともに、側面には収納棚１５が陥没形成された宮付き型のヘッドボード１６と、支持台１３に載置される２枚のすのこ１７とを備えたものである。
【００２６】
以下、これらの構成部品を具体的に説明する。
支持枠１１は、何れも無垢材（パイン材）からなるフット側枠材１８と、ヘッド側枠材１９と、右側枠材２０と、左側枠材２１とを矩形枠状に連結したものである。フット側枠材１８の長さ方向の中間部と、ヘッド側枠材１９の長さ方向の中間部とには、細長い金属製の補強枠材２２が架け渡されている。また、左，右側枠材２０，２１の互いに対峙した各辺部には、各すのこ板（横板）１７ａの長さ方向の端部を支持するための左右一対の長尺なフランジ（図示せず）がそれぞれ突設されている。支持枠１１の四隅付近の下面には、それぞれフェルトが貼着されている。これにより、脚部１２を取り外したロースタイルでのベッド使用時に、支持枠１１により床を傷つけにくい。
【００２７】
４本の脚部１２はそれぞれ円柱体で、支持枠１１の四隅の下面に、ボルトナット構造体を介して、着脱自在に連結されている。以下、各脚部１２を具体的に説明する。
各脚部１２は、長さ方向へ連結可能な第１の分割脚部１２ａと第２の分割脚部１２ｂとを有している。各分割脚部１２ａ，１２ｂは、直径８ｃｍ、高さ１３ｃｍのパイン材からなる円柱体で、第１の分割脚部１２ａの上端面の中央部からボルトが突出し、下端面の中央部に埋め込みナットが配されている。
一方、第２の分割脚部１２ｂの上端面の中央部からボルトが突出し、下端面には床面への傷防止用のフェルトが貼着されている。各第１の分割脚部１２ａは、各ボルトが、支持枠１１の四隅に配された各埋め込みナットに螺合される。また、各第２の分割脚部１２ｂは、その各ボルトが、対応する第１の分割脚部１２ａの埋め込みナットに螺合される。なお、各分割脚部１２ａ，１２ｂのボルトは同一物である。
すのこ１７は、多数枚のすのこ板１７ａの幅方向の両端部を、左右一対のベルトによりそれぞれ連結したものである。
【００２８】
次に、図１および図２を参照して、前記モバイルスタンド１４について説明する。
モバイルスタンド１４は、スマートフォン２３のずれ落ちを防止する高さ１ｃｍの突条ストッパ部２４と、突条ストッパ部２４より高さが高く（高さ１０ｃｍ）、かつ傾斜状態のスマートフォン２３の上端部を下方から支持する端末支持板部２６とを、突条ストッパ部２４の方が端末支持板部２６より手前となるように、互いに平行に７ｃｍだけ離間配置したものである。
一方、ヘッドボード１６の両側面に形成された収納棚１５は、ヘッドボード１６の両側面を貫通して形成された側面視して矩形状の横長な空間である。収納棚１５の高さは２６ｃｍ、幅は７ｃｍである。収納棚１５には、例えば、本等の被収納物を収納することができる。
【００２９】
図２に示すように、ヘッドボード１６の具体的な構成は、下端部が支持枠１１のヘッド側枠材１９に連結されて、上端部が突条ストッパ部２４を構成する矩形状の前側ボード２５と、前側ボード２５と平行に離間して、上端部が端末支持板部２６を構成する矩形状の奥側ボード２７と、前側ボード２５の上部と奥側ボード２７との上部とを連結する上板２８と、前側ボード２５の下端と、奥側ボード２７との下端とを連結する下板２９とを有した、側面視して縦長矩形状の板枠である。上板２８には、スマートフォン２３の電源を確保するために、ごみの侵入を防止するスライド式コンセントが設けられている。このとき、下板２９の下面は、支持枠１１の下面より８ｃｍほど上方に配置されている。各ボード２５，２７および上，下板２８，２９の板厚は、１０ｍｍである。
【００３０】
次に、図１〜図４を参照して、本考案の実施例１に係る宮付きすのこベッド１０の使用方法について説明する。
まず、第１の分割脚部１２ａと第２の分割脚部１２ｂとを螺合した長さ２６ｃｍの脚部１２を、支持枠１１の四隅にそれぞれ配設して、支持台１３を組み立てる（図１および図３（ａ）を参照）。
その後、左，右側枠材２０、２１の対峙する各フランジに、展開状態の２枚のすのこ１７の幅方向の両端部をそれぞれ載置する。これにより、各すのこ１７が支持台１３に敷設される。
【００３１】
就寝時、スマートフォン２３を使用する際には、ヘッドボード１６のモバイルスタンド１４に、スマートフォン２３を載置する（図２を参照）。具体的には、突条ストッパ部２４と上板２８との連結部分の内側コーナーに、スマートフォン２３の下端部を当接し、この状態でスマートフォン２３の上端部の下面（裏面）を端末支持板部２６の上端部に載置する。その後、例えば、マット（敷布団）３０に肘を突いて上半身のみを立てた状態で、スマートフォン２３を操作し、例えば、友人等との間で電子メールの送受信を行ったり、インターネットを介して音楽を聴いて、楽しむことができる。
【００３２】
また、ヘッドボード１６の両側面の収納棚１５には、本Ｂを収納することができる。収納棚１５のサイズが２６ｃｍ、幅７ｃｍと大きいため、例えば、Ａ４サイズの大判な本Ｂであっても、横向きにして収納することができる。
例えば、寝ながら本Ｂを読みたい場合には、ヘッドボード１６の右側または左側から収納棚１５内の本を引き出し、例えば、これをモバイルスタンド１４に立てて読むことができる。
【００３３】
このように、ヘッドボード１６のモバイルスタンド１４として、突条ストッパ部２４と、これより丈が高い端末支持板部２６とを、ベッド１０の長さ方向へ互いに平行に離間配置したものを採用したため、従来品の課題であった、傾斜板の表面をガイドにしたモバイル端末の滑落を防止することができる。
また、ヘッドボード１６の両側面を貫通して左右の収納棚１５を設けているため、ヘッドボード１６内の通気性が高まり、ヘッドボード１６内での熱のこもりを解消できる。そのため、夏季の寝苦しさを軽減することができる。また、ヘッドボード１６を貫通しているため、収納棚１５への本の収納量も増やすことができる。
【００３４】
さらに、脚部１２を支持枠１１に着脱可能に連結したため、全ての脚部１２を取り外して、支持枠（支持台１３）１１を直接床に載置することができる。
さらにまた、ここでは、各脚部１２として、ボルトナット構造体を介して、２個の分割脚部１２ａ，１２ｂにより連結分割（組立分解）可能に設けたものを採用している。これにより、周囲の家具とのバランスや、使用者の好みに応じて、ベット１０の高さを適宜変更することができる。
【００３５】
例えば、２個の分割脚部１２ａ，１２ｂを連結した脚部１２を用いるハイスタイル（床からすのこ１７の上面までの高さが３５ｃｍ）の場合には、ベッド１０の下スペースに、衣類等の荷物を入れた収納ボックスを収納することができる（図３（ａ）を参照）。また、各分割脚部１２ａを外して、分割脚部１２ｂのみからなる脚部１２を用いるミドルスタイル（床からすのこ１７の上面までの高さが２２ｃｍ）の場合には、ソファに座るようにベッド１０に腰掛けることができる（図３（ｂ）を参照）。さらに、脚部１２を全て取り除いたロースタイル（床からすのこ１７の上面までの高さが９．５ｃｍ）の場合には、ベッド１０に座って足を伸ばすことができる（図３（ｃ）を参照）。床からの高さが低いため、今まで床や畳に布団を敷いて寝ていた使用者にとって、違和感が小さいベッド１０となる。しかも、高齢者などがベッド１０から転落しても怪我をしにくい。
【００３６】
また、ここでは、脚部１２が存在しない支持枠１１を、支持枠１１の下面が床面に当接状態で床に直接載置した場合、ヘッドボード１６の下板２９が、床面より上方に配置されるように構成している。そのため、例えば、使用者が上半身のみを起こしてヘッドボード１６に凭れかかったとき、ヘッドボード１６には、支持枠１１のヘッド側枠材１９と連結した前側ボード２５の下端部を支点として、外方（奥方向）への大きな曲げ応力が作用する。
仮に、従来のようにヘッドボード１６の下板２９の下面が、支持枠１１の下面と同一高さであれば、このヘッドボード１６の曲げによって奥側ボード２７と下板２９との接合部分（角部分）が床面に強く押し付けられ、この角部分ａに応力が集中する（図４（ｂ））。そのため、例えば、このベッド１０が、経年劣化等によってガタツキが大きいものの場合には、この応力集中を原因とし、矩形状の板枠であるヘッドボード１６が変形したり、最悪の場合、崩壊するおそれがあった。
【００３７】
しかしながら、この実施例１では、ヘッドボード１６の下板２９が床面より上方に配置されているため、このようにヘッドボード１６が、前側ボード２５の下端部を支点として外方へ大きく湾曲したとしても、奥側ボード２７と下板２９との接合部分が床面に接することはない（図４（ａ））。その結果、このベッド１０が、ガタツキの大きいものであっても、上記角部分ａへの応力集中を原因としたヘッドボード１６の変形や、このボード１６の崩壊は発生しない。
また、このようにヘッドボード１６の下板２９と床面との間にスペースが存在するため、このスペースでの通気性を高めることもできる。
なお、実施例１では、シングルサイズの宮付きすのこベッド１０を例としたが、これに限定されない。例えば、この宮付きすのこベッド１０を２つ並列して、キングサイズのものとしてもよい。この場合、各収納棚１５が連通することで、見かけ上、キングサイズのヘッドボード１６の内部空間に、２倍の長さの長尺な収納棚１５が形成される。
【産業上の利用可能性】
【００３８】
本考案は、ヘッドボードに収納空間が存在する宮付きすのこベッドの技術として有用である。
【符号の説明】
【００３９】
１０  宮付きすのこベッド
１１  支持枠
１２  脚部
１２ａ，１２ｂ  分割脚部
１３  支持台
１４  モバイルスタンド
１５  収納棚
１６  ヘッドボード
１７  すのこ
１９  ヘッド側枠材
２３  スマートフォン（モバイル端末）
２４  突条ストッパ部
２５  前側ボード
２６  端末支持板部
２７  奥側ボード
２８  上板
２９  下板
【図１】
0003217939.tif 000003
【図２】
0003217939.tif 000004
【図３】
0003217939.tif 000005
【図４】
0003217939.tif 000006